(57)【要約】【課題】均一な配光を得ることができるとともに、配置の自由度を高めた照明器具を提供する。【解決手段】筐体１２と、筐体１２の内部に配置される光源部１３と、筐体１２の長手方向の端部に設けられ、筐体１２を被設置面Ｗに取り付けるための固定部１７と、を備える。固定部１７は、筐体１７に対して突出させる方向を変更可能に設けられた取付部４１を備える。取付部４１は、少なくとも、筐体１２の長手方向の端部の外側に突出させた状態である第１の状態と、筐体１２の短手方向の外側に突出させた状態である第２の状態と、に変更可能とする。【選択図】図１
2013246987.tif 000002
【特許請求の範囲】
【請求項１】
筐体と、
前記筐体の内部に配置される光源部と、
前記筐体の長手方向の端部に設けられ、前記筐体を被設置面に取り付けるための固定部と、
を備え、
前記固定部は、前記筐体に対して突出させる方向を変更可能に設けられた取付部を備え、前記取付部は、少なくとも、前記筐体の長手方向の端部の外側に突出させた状態である第１の状態と、前記筐体の短手方向の外側に突出させた状態である第２の状態と、に変更可能であることを特徴とする照明器具。
【請求項２】
請求項１に記載の照明器具であって、
前記取付部は、前記筐体の長手方向の端部の内側に収納した状態である第３の状態に変更可能であることを特徴とする照明器具。
【請求項３】
請求項１又は２のいずれか１項に記載の照明器具であって、
前記第２の状態は、前記取付部を前記筐体の長手方向に対して直交する方向に突出させた状態であることを特徴とする照明器具。
【請求項４】
請求項１から３のいずれか１項に記載の照明器具であって、
前記取付部は、前記筐体の長手方向の端部近傍に回転自在に設けられており、３６０度回転可能であることを特徴とする照明器具。
【請求項５】
請求項４に記載の照明器具であって、
前記固定部は、端板部を更に備え、
前記端板部は、板状部材で形成されるとともに、前記筐体の妻面に設けられており、
前記端板部には、前記筐体の下面側において、前記筐体の長手方向の中心側に向けて支持部が延設されており、
前記取付部は、前記支持部に設けられることを特徴とする照明器具。
【発明の詳細な説明】
【技術分野】
【０００１】
本発明は、照明器具に関する。
【背景技術】
【０００２】
従来、例えば屋内の壁面や床面等に沿って複数本を長手方向に連続して設置し、壁面や床面の間接照明を行う照明器具が知られている（例えば、特許文献１参照。）。この種の照明器具の光源として、ＬＥＤや放電灯が用いられている。特許文献１の照明器具では、光源としてＬＥＤが用いられており、照明器具の筐体内部に点光源であるＬＥＤ素子が所定のピッチで複数配置されている。筐体の長手方向の両端部には、隣接する照明器具から独立して被設置面に固定するための固定部が設けられている。
【０００３】
上記従来の照明器具を複数本連続して被設置面に設置する場合について、図を用いて説明する。図７は、従来の照明器具の平面図である。まず、端にある第１の照明器具１１１ａを所定の位置に配置し、筐体１１２の両端に設けられた固定部１１７の取付孔１４５にネジ１１９を挿入してねじ込むことで、照明器具１１１ａの両端部が被設置面に固定される。端にある第１の照明器具１１１ａには電源線Ｌ１が接続されて電力が供給される。
【０００４】
第２の照明器具１１１ｂは、第１の照明器具１１１ａに固定部１１７を突き合わせて配置される。ネジ１１９を筐体１１２の両端に設けられた固定部１１７の取付孔１４５からネジ１１９を挿入してねじ込むことで、第２の照明器具１１１ｂの両端部が被設置面に固定される。第２の照明器具１１１ｂは、第１の照明器具１１１ａと送り線（図示せず）で電気的に接続されることで電力が供給される。
【０００５】
第３の照明器具１１１ｃ以降は、第２の照明器具１１１ｂと同様に設置していき、第１の照明器具１１１ａの反対側の端に位置する第ｎ番目の照明器具１１１ｎまで設置していく。
【先行技術文献】
【特許文献】
【０００６】
【特許文献１】特開２０１２−３３４０１号公報
【発明の概要】
【発明が解決しようとする課題】
【０００７】
上記従来の照明器具は、筐体の長手方向の両端部に、外側に突出するように固定部が設けられている。固定部付近では、照度が他の部分よりも低くなる傾向がある。これは、固定部付近が筐体に設けた光源から離れていること、及び筐体に設けた光源から照射される光が固定部によって遮られるためである。
【０００８】
また、上記従来の照明器具は、複数本を長手方向に連続して設置すると、隣接する照明器具の固定部同士が突き合わされて配置されることとなり、光源を設けた筐体同士は離れて配置される。つまり、上記従来の照明器具は、複数本を長手方向に連続して設置すると、固定部同士が突き合わされた部分と筐体とが交互に配置されることとなる。このため、照度が低くなる箇所（照明器具同士の突き合わせ位置付近）と、照度が高い箇所とが交互に現れ、配光を均一にすることが困難であった。
【０００９】
また、上記従来の照明器具は、固定部が筐体の長手方向の両端部に突出するように設けられているため、例えば、照明器具を壁に突き合わせて配置する場合や、複数本の照明器具をＬ字状等に配置する場合に、壁や他の照明器具と筐体との間に必ず固定部が介在することとなる。このため、配光が均一になるように照明器具を配置することが困難であり、照明器具の配置の自由度が制限されていた。
【００１０】
本発明は、上記課題を解決すべくなされたものである。本発明の第１の目的は、均一な配光を得ることのできる照明器具を提供することである。本発明の第２の目的は、配置の自由度を高めた照明器具を提供することである。
【課題を解決するための手段】
【００１１】
本発明の解決しようとする課題は以上の如くであり、次にこの課題を解決するための手段を説明する。
【００１２】
即ち、第１の発明の照明器具は、筐体と、光源部と、固定部とを備える。
光源部は、筐体の内部に配置される。
固定部は、筐体の長手方向の端部に設けられ、筐体を被設置面に取り付ける。
そして、固定部は、筐体に対して突出させる方向を変更可能に設けられた取付部を備える。取付部は、少なくとも、筐体の長手方向の端部の外側に突出させた状態である第１の状態と、筐体の短手方向の外側に突出させた状態である第２の状態と、に変更可能である。
【００１３】
第２の発明の照明器具は、第１の発明の照明器具であって、
取付部は、筐体の長手方向の端部の内側に収納した状態である第３の状態に変更可能である。
【００１４】
第３の発明の照明器具は、第１又は第２のいずれかの発明の照明器具であって、
第２の状態は、取付部を筐体の長手方向に対して直交する方向に突出させた状態である。
【００１５】
第４の発明の照明器具は、第１から第３のいずれかの発明の照明器具であって、
取付部は、筐体の長手方向の端部近傍に回転自在に設けられており、３６０度回転可能である。
【００１６】
第５の発明の照明器具は、第４の発明の照明器具であって、
固定部は、端板部を更に備える。
端板部は、板状部材で形成されるとともに、筐体の妻面に設けられている。
端板部には、筐体の下面側において、筐体の長手方向の中心側に向けて支持部が延設されている。
そして、取付部は、支持部に設けられる。
【発明の効果】
【００１７】
本発明の効果として、以下に示すような効果を奏する。
【００１８】
第１の発明の照明器具によれば、筐体の長手方向の端部に設けられる固定部の取付部は、筐体に対して突出させる方向を変更可能に設けられており、例えば、隣接する照明器具に突き合わせて設置する場合には、筐体の短手方向の外側に突出させた状態である第２の状態に変更可能である。このため、複数本の照明器具を長手方向に連続して被設置面に設置する場合に、取付部を干渉させずに、光源部を設けた筐体同士を接近させることができる。よって、複数の照明器具の突き合わせ位置付近の照度と他の部分の照度とを同等とすることができ、均一な配光を得ることができる。また、照明器具を壁に突き合わせて配置する場合や、複数本の照明器具をＬ字状等に配置する場合に、壁や他の照明器具と筐体との間に取付部を介在させないようにすることができる。このため、配光が均一になるように照明器具を配置することが容易となり、照明器具の配置の自由度を高めることができる。
【００１９】
第２の発明の照明器具によれば、取付部は、筐体の長手方向の端部の内側に収納した状態である第３の状態に変更可能である。このため、例えば、照明器具を被設置面に固定する必要のない場合には、取付部を筐体の長手方向の端部の内側に収納した状態にすることができる。よって、照明器具の配置の自由度を高めることができる。
【００２０】
第３の発明の照明器具によれば、取付部を筐体の長手方向に対して直交する方向に突出させることができる。このため、例えば、複数本の照明器具を長手方向に連続して被設置面に設置する場合に、取付部を干渉させることなく、光源部を設けた筐体同士を接近させることができる。よって、複数の照明器具の突き合わせ位置付近の照度と他の部分の照度とを同等とすることができ、均一な配光を得ることができる。
【００２１】
第４の発明の照明器具によれば、取付部は、筐体の長手方向の端部近傍に回転自在に設けられており、３６０度回転可能である。このため、簡単な構成により、取付部を第１の状態、及び第２の状態、あるいは第３の状態に変更可能とすることができる。
【００２２】
第５の発明の照明器具によれば、筐体の妻面には、端板部が設けられており、取付部は、筐体の下面側において、筐体の長手方向の中心側に向けて延設されている支持部に設けられている。このため、簡単な構成により、取付部を第１の状態、及び第２の状態、あるいは第３の状態に変更可能とすることができる。
【図面の簡単な説明】
【００２３】
【図１】本発明の実施例１に係る照明器具１１の斜視図。
【図２】図１の２−２線における断面図。
【図３】端板部３１及び取付部４１を器具主体２１に取り付ける状態を示す斜視分解図。
【図４】筐体１２の端部に対して取付部４１を突出させる方向を変更した状態を示す下面図。
【図５】複数の照明器具１１を長手方向に連続して設置した状態を示す斜視図。
【図６】複数の照明器具１１を略Ｌ字状に配置した状態を示す斜視図。
【図７】従来の照明器具１１を長手方向に連続して設置した状態を示す平面図。
【発明を実施するための形態】
【００２４】
次に、発明の実施の形態について図を用いて説明する。
【実施例１】
【００２５】
本発明の実施例１に係る照明器具１１について、図１から図６を用いて説明する。図１に示すように、実施例１の照明器具１１の形状は、短手方向の長さに対して長手方向の長さの比率が大きい細長い略直方体である。照明器具１１は、壁面や床面等に沿った被設置面Ｗに単独で設置したり、複数本を長手方向に連続して設置可能である（図５参照。）。また、複数本の照明器具１１をＬ字状等に配置することも可能である（図６参照。）。複数本の照明器具１１を連続して設置する場合は、一方の端に設置される照明器具１１には、電源線Ｌ１に接続されて電力が供給される。その他の照明器具１１には、隣接する照明器具１１同士が送り線Ｌ２（図３参照）で電気的に接続されることで電力が供給される。照明器具１１を設置する向きは特に制限されず、光を上向き、下向き、横向き、いずれの方向に照射するように設置してもよい。以下の説明では、被設置面Ｗに対向する面を下面とし、その反対側である光を照射する側の面を上面とする。
【００２６】
照明器具１１は、図１、図２に示すように、主として筐体１２、光源部１３、セード１４、端子台１５、点灯装置１６、及び固定部１７を有している。
【００２７】
筐体１２は、器具主体２１、及び底板部６１を備えている。図３に示すように、器具主体２１は、断面形状が略Ｈ字型であり、熱伝導性を有するアルミニウム等の金属素材の押し出し材で形成されている。器具主体２１は、横板部２２と横板部２２の両側に形成される側板部２３を有している。器具主体２１の横板部２２の上方、下方は開放されており（開放部２７、２８）、長手方向の両端部も開放されている。側板部２３の上部には、セード１４を差し込んで保持させる上部溝部２４が対向して形成され、両側の側板部２３の下部には、底板部６１を保持する突条２５が対向して形成されている。横板部２２の下部の両側には、固定部１７をネジ３９で取り付けるためのネジ取付部２６が形成されている。
【００２８】
図２に示すように、底板部６１は、器具主体２１の下部の開放部２８の一部を閉塞するものである。底板部６１は金属の板金部材で形成されている。底板部６１は器具主体２１の下方に被せて突条２５に当接させる。底板部６１の両端部は折り曲げられており、ネジ６２で器具主体２１の横板部２２に固定される。底板部６１は、器具主体２１の長手方向の長さよりも短く、器具主体２１に取り付けられた状態で、器具主体２１の下部の開放部２８のうち、長手方向の両端側は閉塞せずに開放された状態としている。この器具主体２１の両端部の開放部２８は、電源線Ｌ１あるいは送り線Ｌ２を挿通させる通線部１８を構成するものである。
【００２９】
光源部１３は、基板８１及び点光源としての複数のＬＥＤ素子８２を有しており、器具主体２１の横板部２２の上部に配置される。ＬＥＤ素子８２は、照明器具１１を長手方向に連続して設置した状態において、ピッチが一定になるように基板８１上に配置されている。つまり、隣接する照明器具１１の端部を跨いだＬＥＤ素子８２のピッチがＰ１であるとし、それぞれの照明器具１１内部でのＬＥＤ素子８２のピッチをＰ２であるとしたときに、Ｐ１とＰ２が等しくなるようにＬＥＤ素子８２を配置している。尚、本実施例では、光源としてＬＥＤ素子８２を用いたが、これ以外に蛍光灯や、蛍光灯形のＬＥＤ光源等を用いることができ、光源の種類は限定されない。
【００３０】
セード１４は、器具主体２１の上部の開放部２７を閉塞し、光源部１３からの光を透過させて、照射面を形成する部材である。セード１４は、透光性を有する半透明のアクリル樹脂素材等で形成され、器具主体２１の上部溝部２４の長手方向の端部から差し込んで保持される。
【００３１】
端子台１５は、外部電源からの電源線Ｌ１又は、隣接する照明器具１１からの送り線Ｌ２の端子が差込口に差し込まれて電気的に接続されるものである。端子台１５は、器具主体２１の横板部２２の下部において、器具主体２１の両端側に２個設けられる。端子台１５の差込口はそれぞれ器具主体２１の端部側に向けられている。
【００３２】
点灯装置１６は、電線（図示せず）によって光源部１３と電気的に接続され、光源部１３のＬＥＤ素子８２を点灯させるものである。点灯装置１６は、器具主体２１の横板部２２の下部に配置されている。点灯装置１６は、端子台１５と電線１６ａによって電気的に接続されている。
【００３３】
固定部１７は、筐体１２を被設置面Ｗに取り付けるためものである。図１、図２に示すように、固定部１７は、端板部３１及び取付部４１を備えている。固定部１７を構成する端板部３１及び取付部４１は、筐体１２の両端部に取り付けられるため、１本の照明器具１１について２組用いられるが、両端部に共通の端板部３１と取付部４１を用いるため、端板部３１と取付部４１はそれぞれ１種類である。端板部３１及び取付部４１は、それぞれ金属の板金部材で形成されている。
【００３４】
図３に示すように、端板部３１は、筐体１２の長手方向の両端部の端面（妻面）を構成するとともに、取付部４１を支持するものである。端板部３１は、端板主体３２、切欠部３４、及び支持部３５を備えている。端板主体３２は、器具主体２１の端部の開放部を閉塞する部分である。端板主体３２には、端板部３１を器具主体２１にネジ３９で取り付けるための貫通孔３３が形成されている。
【００３５】
切欠部３４は、電源線Ｌ１あるいは送り線Ｌ２を挿通させる通線部１８を構成するものであり、端子台１５に接続される電源線Ｌ１あるいは送り線Ｌ２を挿通できる形状を有している。本実施例では、切欠部３４の幅は、器具主体２１の短手方向の長さの略半分に設定されている。切欠部３４は、少なくとも下方が開放され、端板部３１を器具主体２１に取り付けた状態で、器具主体２１の下部の開放部２８と切欠部３４とが連通するように形成される。
【００３６】
支持部３５は、取付部４１を支持する部分である。支持部３５は、端板主体３２の下面側において筐体１２の長手方向の中心側に向けて延設されている。支持部３５は、第１腕部３６、及び第２腕部３７を有している。
【００３７】
第１腕部３６は、器具主体２１の長手方向の中心線に対して前述した切欠部３４の反対側に偏在するように形成される。本実施例では、第１腕部３６の幅は、器具主体２１の短手方向の長さの略半分に設定されている。第１腕部３６は、端板部３１を器具主体２１に取り付けた状態で、器具主体２１の下面より上方に位置するように、固定端付近で端板主体３２に対して折り曲げている。
【００３８】
第２腕部３７は、第１腕部３６の自由端側において、器具主体２１の長手方向の中心線上に略Ｌ字形に突出するように形成されている。第２腕部３７には、取付部４１を回転自在に軸支するための貫通孔３８が形成されている。貫通孔３８が形成される位置は、端板部３１を器具主体２１に取り付けた状態で、器具主体２１の長手方向の中心線上となり、かつ、器具主体２１の長手方向の端部から、器具主体２１の短手方向の長さの略１／２の距離となる位置である。
【００３９】
取付部４１は、ネジ等の固着部で被設置面Ｗに直接固定される部材である。取付部４１は、支持部３５に対して回転自在に軸支され、筐体１２の端部に対して突出させる方向を変更可能に設けられている。取付部４１は、取付部主体４２、第３腕部４３、当接部４４を有している。
【００４０】
取付部主体４２は、筐体１２の端部に対して突出させ、被設置面Ｗに固定する部分である。取付部主体４２の幅は、器具主体２１の短手方向の長さと略同一としている。取付部主体４２には、筐体１２を被設置面Ｗに固着部としてのネジ１９で固定するための取付穴４５が形成されている。取付穴４５は、取付部主体４２が筐体１２の端部に対して突出する部分に形成されている。
【００４１】
第３腕部４３は、取付部主体４２に対して延設される部分である。第３腕部４３には、端板部３１の支持部３５に回転自在に支持させるための貫通孔４６が形成されている。貫通孔４６及び支持部３５の貫通孔３８にネジ４７を貫通させ、緩み止め付きナット４８で適度に締め付けて、取付部４１を端板部３１の支持部３５に軸支させる。第３腕部４３は、取付部４１を端板部３１の支持部３５にネジ４７で軸支させた状態で、ネジ４７が器具主体２１の下面に突出して被設置面Ｗに当接しないよう、貫通孔４６付近を上方に折り曲げている。
【００４２】
当接部４４は、照明器具１１を被設置面Ｗに載置した際に、被設置面Ｗに接触する部分である。当接部４４は、第３腕部４３の自由端側を折り曲げて形成されている。
【００４３】
以上の構成により、図４に示すように、本実施例では、取付部４１は、筐体１２の端部近傍に回転自在に設けられており、３６０度回転可能となっている。そして、取付部４１を筐体１２に対して回動させることにより、取付部４１は、筐体１２の端部に対して突出させる方向を変更することができる。図４Ａに示すように、取付部４１を筐体１２の長手方向の端部の外側に突出させた状態を第１の状態とする。また、図４Ｂ、図４Ｃに示すように、筐体１２の短手方向の外側に突出させた状態を第２の状態とする。第２の状態は、換言すると、隣接する照明器具１１に突き合わせて設置する場合に、隣接する照明器具１１に干渉しない方向に取付部４１を突出させた状態であり、例えば、取付部４１を筐体１２の長手方向に対して直交する方向に突出させた状態である。更に本実施例では、図４Ｄに示すように、取付部４１は、筐体１２の長手方向の端部の内側に収納した状態である第３の状態にも変更可能である。
【００４４】
次に、本実施例の複数の照明器具１１ａから１１ｎを長手方向に連続して被設置面Ｗに設置する手順について説明する。
【００４５】
図５に示すように、まず、複数の照明器具１１ａから１１ｎのうち、一端側に設置される照明器具１１ａを設置する。まず、照明器具１１ａの一方の端子台１５には、電源線Ｌ１の端子を接続する。電源線Ｌ１に接続された照明器具１１ａの他方の端子台１５には、次に隣に施工する照明器具１１ｂに接続するための送り線（図示せず）の端子を接続する。
【００４６】
電源線Ｌ１に接続された照明器具１１ａの器具主体２１の長手方向の両端部に、固定部１７を構成する端板部３１及び取付部４１を取り付ける（図３参照。）。セード１４及び底板部６１はすでに器具主体２１に取り付けられているものとし、端板部３１に取付部４１を取り付けた後、端板部３１を器具主体２１にネジ３９で取り付ける。
【００４７】
続いて、取付部４１の方向を調整する。図５では、照明器具１１ａの両端の取付部４１のうち、照明器具１１ｂを突き合わせる側の取付部４１は、筐体１２の長手方向に対して直交する方向に突出させた状態（第２の状態）としている。反対側（隣接する照明器具１１ｂを突き合わせない側）の取付部４１は、筐体１２の長手方向の端部の外側に突出させた状態（第１の状態）としている。
【００４８】
そして、照明器具１１ａを設置すべき位置に配置する。固着部としてのネジ１９を取付孔４５に挿入してねじ込むことで、照明器具１１ａが被設置面Ｗに固定される。
【００４９】
次に、照明器具１１ａに隣接する照明器具１１ｂの設置を行う。先に設置した照明器具１１ａの送り線（図示せず）の端子を照明器具１１ｂの一方の端子台１５に接続し、照明器具１１ａと照明器具１１ｂを電気的に接続する。照明器具１１ｂの他方の端子台１５には次に隣に施工する照明器具１１ｃに接続するための送り線（図示せず）の端子を接続する。照明器具１１ｂの器具主体２１の両端部には、照明器具１１ａと同様に固定部１７を構成する端板部３１及び取付部４１を取り付ける。
【００５０】
続いて、取付部４１の方向を調整する。照明器具１１ｂについては、照明器具１１ｂの両端の取付部４１を、筐体１２の長手方向に対して直交する方向に突出させた状態（第２の状態）とする。そして、照明器具１１ｂを照明器具１１ａの長手方向に連続する位置に突き合わせるように配置する。固着部としてのネジ１９を取付孔４５に挿入してねじ込むことで、照明器具１１ｂが被設置面Ｗに固定される。
【００５１】
このように、照明器具１１ａと照明器具１１ｂが突き合わせられる位置の取付部４１を第２の状態とすることにより、取付部４１を干渉させずに筐体１２同士を接近させて設置することができる。以下、照明器具１１ｂに隣接して設置する照明器具１１ｃから１１ｎについても同様の手順により設置する。
【００５２】
次に、本実施例の複数の照明器具１１を略Ｌ字状に配置する手順の一例について図６を用いて説明する。図６では、照明器具１１ａに対して直交する位置に、照明器具１１ｂを配置している。
【００５３】
照明器具１１ａについては、照明器具１１ａの両端の取付部４１を、筐体１２の長手方向の端部の外側に突出させた状態（第１の状態）とする。照明器具１１ａはネジ１９を用いて被設置面Ｗに固定する。一方、照明器具１１ｂについては、照明器具１１ｂの両端の取付部４１を、筐体１２の長手方向の端部の内側に収納した状態（第３の状態）とし、照明器具１１ｂの筐体１２の端部を、照明器具１１ａの筐体１２の側部に突き合わせるように配置する。尚、照明器具１１ｂについては、照明器具１１ｂの両端の取付部４１を筐体１２の長手方向の端部の内側に収納した状態（第３の状態）としているため、ネジ１９を用いずに被設置面Ｗに載置するのみとしている。
【００５４】
このように、照明器具１１ａと照明器具１１ｂが突き合わせられる位置の取付部４１を第３の状態とすることによっても、取付部４１を干渉させずに筐体１２同士を接近させて設置することができる。
【００５５】
以上説明した本実施例に係る照明器具１１によれば、次のような効果を有する。
【００５６】
照明器具１１の筐体１２の長手方向の端部に設けられる固定部１７の取付部４１は、筐体１２に対して突出させる方向を変更可能に設けられており、隣接する照明器具１１に突き合わせて設置する場合には、筐体１２の短手方向の外側に突出させた状態である第２の状態に変更可能である。このため、複数本の照明器具１１を長手方向に連続して被設置面Ｗに設置する場合に、取付部４１を干渉させずに、光源部１３を設けた筐体１２同士を接近させることができる。よって、複数の照明器具１１の突き合わせ位置付近の照度と他の部分の照度とを同等とすることができ、均一な配光を得ることができる。また、照明器具１１を壁に突き合わせて配置する場合や、複数本の照明器具１１をＬ字状等に配置する場合に、壁や他の照明器具１１と筐体１２との間に取付部４１を介在させないようにすることができる。このため、配光が均一になるように照明器具１１を配置することが容易となり、照明器具１１の配置の自由度を高めることができる。
【００５７】
照明器具１１の取付部４１は、筐体１２の長手方向の端部の内側に収納した状態である第３の状態に変更可能である。このため、照明器具１１を被設置面Ｗに固定する必要のない場合等には、取付部４１を筐体１２の長手方向の端部の内側に収納した状態にすることができる。よって、照明器具１１の配置の自由度を高めることができる。
【００５８】
複数本の照明器具１１を長手方向に連続して被設置面Ｗに設置する場合に、取付部４１を筐体１２の長手方向に対して直交する方向に突出させることもできる。このため、複数本の照明器具１１を長手方向に連続して被設置面Ｗに設置する場合に、取付部４１を干渉させることなく、光源部１３を設けた筐体１２同士を接近させることができる。よって、複数の照明器具１１の突き合わせ位置付近の照度と他の部分の照度とを同等とすることができ、均一な配光を得ることができる。
【００５９】
照明器具１１の取付部４１は、筐体１２の長手方向の端部近傍に回転自在に設けられており、３６０度回転可能である。このため、簡単な構成により、取付部４１を第１の状態、及び第２の状態、あるいは第３の状態に変更可能とすることができる。
【００６０】
照明器具１１の筐体１２の妻面には、端板部３１が設けられており、取付部４１は、筐体１２の下面側において、筐体１２の長手方向の中心側に向けて延設されている支持部３５に設けられている。このため、簡単な構成により、取付部４１を第１の状態、及び第２の状態、あるいは第３の状態に変更可能とすることができる。
【００６１】
照明器具１１の取付部４１は、筐体１２の長手方向の端部の外側に突出させた部分の幅が、筐体１２の短手方向の長さと略同一であり、筐体１２の長手方向の中心線上であって、かつ、筐体１２の長手方向の端部から、筐体１２の短手方向の長さの略１／２の距離となる位置で回転自在に軸支されている。このため、取付部４１を筐体１２の長手方向に対して直交する方向に突出させることで、取付部４１を筐体１２の長手方向に突出しないようにすることができる。よって、隣接する照明器具１１に突き合わせて設置する場合に、隣接する照明器具１１に取付部４１を干渉させないようにすることができる。
【００６２】
照明器具１１の取付部４１は、板状部材で形成されており、固定用の取付穴４５と、被設置面Ｗに接触する当接部４４が形成されている。取付部４１を板状部材で形成することで取付部４１の高さを低く形成できるため、照明器具１１の高さを低く抑えることができる。また、当接部４４が被設置面Ｗに接触することにより、照明器具１１を被設置面Ｗに安定して設置することができる。
【００６３】
以上、本発明の実施の形態について説明したが、本発明は上記実施例に限定されるものではなく、様々な変更が可能である。例えば、照明器具１１、端板部３１、取付部４１等の形状は実施例に限定されない。
【００６４】
また、端板部３１、取付部４１は共通部品であり、光源部１３はユニットになっているため、器具主体２１を長くして、器具主体２１内に配置する光源部１３の数を増減させることにより、長さの異なる照明器具１１を容易に製造することができる。
【符号の説明】
【００６５】
１１    照明器具
１２    筐体
１３    光源部
１４    セード
１７    固定部
１９    固着部としてのネジ
２１    器具主体
３１    端板部
３２    端板主体
３３    貫通孔
３４    切欠部
３５    支持部
３６    第１腕部
３７    第２腕部
４１    取付部
４２    取付部主体
４３    第３腕部
４４    当接部
４５    取付孔
４６    貫通孔
４７    ネジ
４８    緩み止め付きナット
Ｗ      被設置面
【図１】
2013246987.tif 000003
【図２】
2013246987.tif 000004
【図３】
2013246987.tif 000005
【図４】
2013246987.tif 000006
【図５】
2013246987.tif 000007
【図６】
2013246987.tif 000008
【図７】
2013246987.tif 000009